(57)【要約】本発明はイソフラボンが強化した豆科植物の種子及びその製造方法に係り、より詳しくは、エチレン、サリチル酸、メチルジャスモン酸及びアセチルサリチル酸よりなる群から選択された１種以上のストレス誘発化合物で発芽した種子を処理することを特徴とするイソフラボン高含有発芽種子の製造方法に関するものである。  本発明によれば、人体に無害で、親環境的であり、遺伝子変形体（ＧＭＯ）を利用しないながらもイソフラボン含量の高い豆及び緑豆材料を製造することができる。
2007520230.tif 000002
【特許請求の範囲】
【請求項１】
次の段階を含むイソフラボン高含有発芽種子の製造方法：
（ａ）緑豆、豆及び小豆よりなる群から選択された豆科植物種子を温度２０〜３０℃の暗条件で１〜７日間発芽させる段階；
（ｂ）植物にストレスを誘発する化合物で前記発芽した種子を処理する段階；及び
（ｃ）前記処理された発芽種子を温度２０〜３０℃の暗条件で２〜２４時間培養する段階。
【請求項２】
前記植物にストレスを誘発する化合物は、エチレン、サリチル酸、メチルジャスモン酸及びアセチルサリチル酸よりなる群から選択された１種以上であることを特徴とする、請求項１に記載の方法。
【請求項３】
前記サリチル酸、メチルジャスモン酸及びアセチルサリチル酸の濃度は、それぞれ５〜２０ｍＭ、０．１〜１．０％（ｖ／ｖ）及び５〜２０ｍＭであることを特徴とする、請求項２に記載の方法。
【請求項４】
請求項１に記載の方法によって製造され、子葉と根部分で生成したイソフラボン含量が発芽緑豆１ｇ（乾燥重量）当たり１４３０μｇ以上であることを特徴とする発芽緑豆。
【請求項５】
請求項４に記載の発芽緑豆を培養することを特徴とする、イソフラボン高含有ぶんどう萌やしの製造方法。
【請求項６】
請求項４に記載の発芽緑豆、請求項５に記載の方法によって製造されたイソフラボン高含有ぶんどう萌やしまたはその加工物を含むことを特徴とする、健康食品。
【請求項７】
請求項１に記載の方法によって製造され、イソフラボン含量が発芽豆の根部位１ｇ（乾燥重量）当たり８５００μｇ以上であることを特徴とする、発芽豆。
【請求項８】
請求項７に記載の発芽豆を培養することを特徴とする、イソフラボン高含有萌やしの製造方法。
【請求項９】
請求項７に記載の発芽豆、請求項８に記載の方法によって製造されたイソフラボン高含有萌やしまたはその加工物を含むことを特徴とする、健康食品。
【発明の詳細な説明】
【技術分野】
【０００１】
本発明はイソフラボンが強化した豆科植物の種子及びその製造方法に係り、より詳しくはエチレン、サリチル酸、メチルジャスモン酸及びアセチルサリチル酸よりなる群から選択された１種以上のストレス誘発化合物で、緑豆、豆及び小豆よりなる群から選択された豆科植物の発芽した種子を処理することを特徴とするイソフラボン高含有発芽種子及びその製造方法に関するものである。
【背景技術】
【０００２】
豆は良質のタンパク質を大量生産する主要食糧資源で、狂牛病、鳥類インフルエンザ、口蹄疫などによる動物性タンパク質源の消費が多少萎縮する状況で、動物性タンパク質を取り替えることができるほぼ唯一の植物タンパク質源であるとともに、イソフラボン、サポニン、アントシアニンなどいろいろの健康関連機能性物質を含んでいるので、生活水準が高くなるにつれてもっと脚光を浴びている重要な穀物である。
【０００３】
ぶんどう萌やしは大豆萌やしとともに豆菜類の一つで、一番得やすい野菜であり、我が国を始め、中国、日本などのアジア各国とアメリカ、ヨーロッパなどで清浄野菜として脚光を浴びている。ぶんどう萌やしは大豆萌やしとは異なり、生食または部分料理する場合、大豆萌やしが有するｌｉｐｏｘｉｇｅｎａｓｅがｌｉｎｏｌｅｉｃ  ａｃｉｄなど豆脂肪を分解する時に発生する揮発性物質による豆特有の生臭が少なく、大豆萌やしに比べて相対的に単位重量当たり水分含量が多くて纎維の含量が少なくて食味特性に優れるので、中国、日本などのアジア圏国家とアメリカ、ヨーロッパを含む西欧では、大豆萌やしよりも多く消費している豆菜類である。緑豆の主成分は糖質とタンパク質であり、豆と異なり、糖質含量が高い方である。糖質の中でも澱粉が３４％でたくさん含有されており、ぶんどう萌やしとして使う場合、タンパク質、脂質、無機成分及びビタミン含量が増加すると報告されたし、効能の側面でも、緑豆はアミラーゼ、インベルターゼ、ウレアーゼなどさまざまな消化酵素が入っているので、消化を促進し、血圧降下作用、消炎作用、解熱作用、造血作用があるものと知られている。
【０００４】
イソフラボンは主に豆類に含まれているエストロゲン類似体で、閉経期女性に投与する場合、さまざまな更年期症状を改善させ、エストロゲンの標的臓器は乳房、子宮、卵巣、及び睾丸、前立腺を含む女性及び男性の生殖器官と脳であり、骨の維持と心血管系に生理的に非常に重要な役目をする。
【０００５】
特に、家族中に乳房癌、子宮癌の病歴がある患者の家族は植物性イソフラボンを服用することが良い。閉経期女性はエストロゲンの濃度が約３０％まで減少して各種更年期症状が現れることになるが、閉経期女性にイソフラボンを投与した結果、顔面紅潮、発汗、神経過敏、憂鬱症、睡眠障害、多汗症などの更年期症状が改善され、エストロゲンの副作用は現れなかった。また、月経前症候群（Ｐｒｅｍｅｎｓｔｒｕａｌ  Ｓｙｎｄｒｏｍｅ：ＰＭＳ）の予防と治療においても、イソフラボン投与の時、月経周期の変化を誘導してＰＭＳを予防し、症状を緩和させるものと知られており、骨粗鬆症及び老人性骨折予防及び治療においても、イソフラボンは骨格代謝でエストロゲンと類似の活性を持って、骨の再吸収を阻害するだけでなく、骨を作る骨亜細胞を増加させて骨粗鬆症の予防及び治療効果を奏する。その外にも、心臓病、高血圧、動脈硬化などの心血管系疾患の予防及び閉経期後の記憶力減退または集中力低下など女性の脳の老化を防止する効果もあるものと知られている。植物性イソフラボンのさらに他の大きな利点は発癌を抑制させるというものである。
【０００６】
最近には、イソフラボンを生産する植物においてイソフラボンの生成を促進させるための研究が進み、豆でのイソフラボンの生成はいろいろの生育障害によって増加するというものが報告されたことがあるが、緑豆においてイソフラボンの生成を促進することに関する研究はまだ報告されたことがない。また、豆のイソフラボン含量は主に豆の種子発達後期に蓄積されることによって決まるが、本発明は、豆の発芽過程中に非常に低いイソフラボン生合成活性を人為的処理で増加させて、発芽過程でイソフラボンの生合成を誘導することを特徴とする。大韓民国公開特許公報２００３−９３０２５には、洗浄した豆を精製水に入れて漬した後、発芽させることで、イソフラボン含量を４０〜７０％増加させた高濃度イソフラボン含有発芽豆の製造方法が開示されているが、依然としてイソフラボン含量が低いという欠点がある。
【発明の開示】
【発明が解決しようとする課題】
【０００７】
それで、本発明者らは、イソフラボンを多量含む豆科植物の発芽種子を開発しようと鋭意努力した結果、植物にストレスを誘発する化合物で発芽した種子を処理することで、発芽種子においてイソフラボン含量が増加することを確認して本発明を完成することになった。
【０００８】
本発明の目的は、イソフラボン高含有豆科植物の発芽種子及びその製造方法を提供することにある。 
本発明の他の目的は、前記方法によって製造されたイソフラボン高含有発芽緑豆及び発芽豆を提供することにある。 
前記目的を達成するために、本発明は、（ａ）緑豆、豆及び小豆よりなる群から選択された豆科植物種子を温度２０〜３０℃の暗条件で１〜７日間発芽させる段階；（ｂ）植物にストレスを誘発する化合物で前記発芽した種子を処理する段階；及び（ｃ）前記処理された発芽種子を温度２０〜３０℃の暗条件で２〜２４時間培養する段階を含むイソフラボン高含有発芽種子の製造方法を提供する。
本発明において、前記植物にストレスを誘発する化合物は、エチレン、サリチル酸、メチルジャスモン酸及びアセチルサリチル酸よりなる群から選択された１種以上であることを特徴とすることができ、前記サリチル酸、メチルジャスモン酸及びアセチルサリチル酸の濃度は、それぞれ５〜２０ｍＭ、０．１〜１．０％（ｖ／ｖ）及び５〜２０ｍＭであることを特徴とすることができる。
また、本発明は、前記方法によって製造され、子葉と根部分で生成したイソフラボン含量が発芽緑豆１ｇ（乾燥重量）当たり１４３０μｇ以上であることを特徴とする発芽緑豆を提供する。 
また、本発明は、前記発芽緑豆を培養することを特徴とするイソフラボン高含有ぶんどう萌やしの製造方法を提供する。 
また、本発明は、前記発芽緑豆、前記方法によって製造されたイソフラボン高含有ぶんどう萌やしまたはその加工物を含むことを特徴とする健康食品を提供する。
また、本発明は、前記方法によって製造され、イソフラボン含量が発芽豆の根部位１ｇ（乾燥重量）当たり８５００μｇ以上であることを特徴とする発芽豆を提供する。 
また、本発明は、前記発芽豆を培養することを特徴とするイソフラボン高含有萌やしの製造方法を提供する。 
また、本発明は、前記発芽豆、前記方法によって製造されたイソフラボン高含有萌やしまたはその加工物を含むことを特徴とする健康食品を提供する。
本発明においては、豆（ｓｏｙｂｅａｎ：品種  ソミョン）及び緑豆（ｍｕｎｇｂｅａｎ：品種  ザンアン）をそれぞれ発芽させた後、植物体内ストレス耐性関連２次代謝を人為的に誘導する物質を極少量処理して、乳房癌、前立腺癌、心臓病を始め、女性の更年期障害などに多くの多様な薬理効果を表す機能性物質であるイソフラボン、かつフラボノイド（ｆｌａｖｏｎｏｉｄ）、イソフラボノイド（ｉｓｏｆｌａｖｏｎｏｉｄ）系物質の生成を人為的に増加させた。本発明によるストレス誘発物質で処理しなかった場合に比べ、イソフラボン含有量が約１．７倍高い豆と緑豆を製造することができるので、遺伝子組み換えのような方法によらなくても簡単な栽培的方法によってイソフラボンの生産を増加させることができるということを立証した。
【発明を実施するための最良の様態】
【０００９】
以下、実施例に基づいて本発明をより詳細に説明する。これら実施例はただ本発明を例示するためのもので、本発明の範囲がこれら実施例に制限されるものと解釈されないというのは、当業界で通常の知識を持った者に自明であろう。
【００１０】
実施例１：種子消毒及び発芽条件 
豆（ｓｏｙｂｅａｎ：品種  ソミョン）をそれぞれ１００個ずつ三角フラスコに入れた後、９５％エチルアルコールを、豆種子が充分に漬るほどに入れ、１分間浸漬してから流し出し、滅菌水で３回ずつ、毎回２０秒間洗浄した。その後、市販中のラックス液を豆種子が漬るほどに入れ、５分間回転撹拌で消毒した。無菌作業台でラックスに流し出し、滅菌水で３回、毎回２０秒間洗浄した。３回目洗浄の時、滅菌水を最大限取り除き、予め準備しておいた１％バクト寒天プレート（ｂａｃｔｏ  ａｇａｒ  ｐｌａｔｅ）に種子を散布し、培養皿をパラフィルム（ｐａｒａｆｉｌｍ）で包んだ後、２重のアルミニウムホイルで光を遮断した後、２５℃（湿度６０％）の培養室で８日間発芽させた。処理の時、発芽した豆の子葉（ｃｏｔｙｌｅｄｏｎ）は黄色を呈し、発芽前の種子大きさと大きい差がなく、豆の胚軸（ｈｙｐｏｃｏｔｙｌ）及び根（ｒｏｏｔ）を合わせた長さは平均６．５ｃｍで、無色であった（図１）。
緑豆（ｍｕｎｇ  ｂｅａｎ：品種  ザンアン）を対象として前記豆とともに発芽た結果、発芽した緑豆の子葉（ｃｏｔｙｌｅｄｏｎ）は緑皮がはげ、黄色を呈し、双子葉が発生した状態で、横０．３ｃｍ、縦０．２ｃｍ程度で発芽前の種子大きさと大きい差がなく、緑豆根（ｈｙｐｏｃｏｔｙｌ  ａｎｄ  ｒｏｏｔ）の長さは平均６ｃｍで、無色であった。
【００１１】
実施例２：２次代謝誘導及び試料採取 
実施例１で記述した方法で準備した豆の発芽後８日の根（ｈｙｐｏｃｏｔｙｌ＋ｒｏｏｔ）と子葉部位全体をＴａｂｌｅ  １の濃度を有する３種のストレス誘発化合物［サリチル酸（ｓａｌｉｃｙｌｉｃ  ａｃｉｄ）、メチルジャスモン酸（ｍｅｔｈｙｌ  ｊａｓｍｏｎｉｃ  ａｃｉｄ）及びアセチルサリチル酸（ａｃｅｔｙｌ  ｓａｌｉｃｙｌｉｃ  ａｃｉｄ；ａｓｐｉｒｉｎ）］希釈液にまったく漬るように約１０秒間浸漬した後、発芽豆の表面上の残った余分のストレス誘発化合物希釈液を最大限とり除いた。
【００１２】
【表１】
2007520230.tif 000003
【００１３】
次に、１％バクト寒天（ｂａｃｔｏ  ａｇａｒ）培地を入れなかった新たなプレートに移し、パラフィルム（ｐａｒａｆｉｌｍ）でまったく密封した後、２重のアルミニウムｆｏｉｌで光を遮断した暗状態で、２５℃で、１６時間ストレス関連化合物による２次代謝を誘導した。２次代謝誘導処理後、子葉（ｃｏｔｙｌｅｄｏｎ）と根（ｈｙｐｏｃｏｔｙｌ＋ｒｏｏｔ）は子葉から分離され、突出した境界線上を実験用メスで切断して豆の臍（ｈｉｌｕｍ）部位が根部位（ｈｙｐｏｃｏｔｙｌ＋ｒｏｏｔ）に混ざらないように、気を付けて分離した。分離後、子葉と根部位は液化窒素に浸漬し、急速冷却した後、零下８０度で保管しながら分析試料として使用した。
【００１４】
実施例３：分析試料の調剤及びイソフラボン抽出 
冷凍保管中の試料を、液化窒素を利用して溶けないように運搬した後、２日間冷凍乾燥させた後、すり鉢で挽いて２次代謝産物抽出試料として使った。抽出は、０．０１ｇ当たり５００μｌの０．１％酢酸が添加された８０％メタノール溶液を使用し、抽出中に試料が抽出溶媒内で完全に振蕩されるように、１５ｍｌの使い捨て用の遠心分離用チューブを利用して地上から約２５°の角度に傾けた状態で１５０ｒｐｍの速度で１６時間振盪した後、２回遠心分離して使用し、抽出後から分析直前まで零下８０℃で保管した。
【００１５】
実施例４：ＨＰＬＣを利用したイソフラボン定量分析 
ＨＰＬＣはＪＡＳＣＯ（Ｊａｐａｎ）社のＨＰＬＣ  ｓｙｓｔｅｍを利用し、コラムはＯＤＳ系列のＹＭＣ  ＡＭ３０３（４．６×２５０ｍｍ）を使った。移動床は０．１％酢酸を含む水と０．１％酢酸を含むアセトニトリルを使用し、アセトニトリル溶媒が初期１５％から５０分間３５％に増加する勾配溶離（ｇｒａｄｉｅｎｔ  ｅｌｕｔｉｏｎ）を適用した。流速は１．０ｍＬ／ｍｉｎに調節し、注入された抽出溶液の量は２０μｌであり、検出波長は２５４ｎｍ、感度は０．３２で分析した。
イソフラボン標準物質をメタノールに溶解させて０．１〜２５μｇ／ｍＬ範囲の標準溶液を調剤し、ＨＰＬＣ分析を実施し、ピーク面積（ｐｅａｋ  ａｒｅａ）から検量線を作成した。分析に使用されたイソフラボン標準物質はすべて１２種で、ダイゼイン（ｄａｉｄｚｅｉｎ）系４種、ゲニステイン（ｇｅｎｉｓｔｅｉｎ）系４種、グリゴテイン（ｇｌｙｃｏｔｅｉｎ）系４種を購入して使用した（Ｆｌｕｋａ  Ｃｏ．、  Ｊａｐａｎ）。
【００１６】
実施例５：ストレス関連化合物処理後イソフラボン含量 
（１）発芽豆 
発芽豆の根部位（ｈｙｐｏｃｏｔｙｌ＋ｒｏｏｔ）を３種のストレス関連化合物で処理した場合、全体イソフラボン生成量は、図２に示すように、蒸溜水（ｗａｔｅｒ）処理群が７９１４μｇ／ｇ、サリチル酸（ｓａ）処理群が１３４９１μｇ／ｇ、メチルジャスモン酸（ｍｊ）処理群が２３６０μｇ／ｇ、アセチルサリチル酸（ａｓａ）処理群が８６６７μｇ／ｇであった。
発芽豆の根部位イソフラボンの総量を構成するアグリコン（ａｇｌｙｃｏｎｅ）として三つの基本構成物質であるゲニステイン（ｇｅｎｉｓｔｅｉｎ）、ダイゼイン（ｄａｉｄｚｅｉｎ）及びグリシテイン（ｇｌｙｃｉｔｅｉｎ）の外にグルコース（ｇｌｕｃｏｓｅ）、マロニル化グルコース（ｍａｌｏｎｙｌａｔｅｄ  ｇｌｕｃｏｓｅ）、またはアセチル化グルコース（ａｃｅｔｙｌａｔｅｄ  ｇｌｕｃｏｓｅ）が付いた総９個の誘導体（ｃｏｎｊｕｇａｔｅｄ  ｆｏｒｍｓ）の含量を比較した（図３）。その結果、アグリコンであるゲニステイン、ダイゼイン、グリシテインの含量はすべての処理群で非常に低く現れた。サリチル酸処理群の場合、マロニルダイドジンの含量が特に高い増加を表した。
【００１７】
一方、メチルジャスモン酸処理群の場合、蒸溜水処理群と比較して、マルロニルダイドジンの含量が非常に低くて７０％の減少を現した。これは、図４に示したイソフラボンの生合成経路中、サリチル酸処理によってフェニルアラニルアンモニアリアーゼ（ｐｈｅｎｙｌａｌａｎｉｎｅ  ａｍｍｏｎｉａ  ｌｙａｓｅ）、カルコン還元酵素（ｃｈａｌｃｏｎｅ  ｒｅｄｕｃｔａｓｅ）、カルコン合成酵素（ｃｈａｌｃｏｎｅ  ｓｙｎｔｈａｓｅ）、イソフラボン合成酵素（ｉｓｏｆｌａｖｏｎｅ  ｓｙｎｔｈａｓｅ）などの活性が増加したことから始まったと考えられ、メチルジャスモン酸処理群の場合、メチルジャスモン酸処理によってカルコン合成酵素の活性が１／４水準に減少し、イソフラボン分解代謝過程に関与するイソフラボン還元酵素（ｉｓｏｆｌａｖｏｎｅ  ｒｅｄｕｃｔａｓｅ）の活性は３倍以上増加するという既存の結果と一致する。
【００１８】
（２）発芽緑豆 
発芽緑豆の子葉部位を３種のストレス関連化合物で処理した場合、全体イソフラボン生成量は、図５に示したように、無処理群（ｎｔ）の場合８５５μｇ／ｇ、サリチル酸（ｓａ）処理群は１３９５μｇ／ｇ、メチルジャスモン酸（ｍｊ）処理群は８２５μｇ／ｇ、アセチルサリチル酸（ａｓａ）処理群は９００μｇ／ｇであった。無処理群と比較し、サリチル酸で処理した場合、約６０％のイソフラボン総量が増加した反面、メチルアセチルサリチル酸で処理した場合には、有意性ある差を現さなかった。
一方、発芽緑豆の根部位（ｈｙｐｏｃｏｔｙｌ＋ｒｏｏｔ）を３種のストレス関連化合物で処理した場合、全体イソフラボン生成量は、図６に示したように、無処理群（ｎｔ）が３９１μｇ／ｇ、サリチル酸（ｓａ）処理群が６５７μｇ／ｇ、メチルジャスモン酸（ｍｊ）処理群が６０５μｇ／ｇ、アセチルサリチル酸（ａｓａ）処理群が８９８μｇ／ｇであった。
【００１９】
発芽緑豆の根部位では子葉部位とは異なり、無処理群と比較して、３種の処理群共に有意性ある差を現したところ、サリチル酸処理群では６８％、メチルジャスモン酸処理群では５４％、アセチルサリチル酸処理群では１２０％のイソフラボン総量の増加を現した。特に、アセチルサリチル酸の場合、子葉では同じ処理によってほとんど増加しなかったが、根では２倍以上の増加を現すことから、イソフラボンの生成機作は子葉と根で互いに異なる過程によって調節されることを推測することができた。
【００２０】
結局、各処理別発芽緑豆１ｇ（乾燥重量）当たりイソフラボン子葉と根部分で生成された総量を求めれば、無処理群（ｎｔ）が１２４６μｇ、サリチル酸（ｓａ）処理群が２０５２μｇ、メチルジャスモン酸（ｍｊ）処理群が１４３１μｇ、アセチルサリチル酸（ａｓａ）処理群が１７９８μｇであった。無処理群と比較した各処理別イソフラボン総量は、サリチル酸処理群の場合６４％、アセチルサリチル酸処理群の場合４４％の増加を現して、全体的にはサリチル酸処理群が一番優れた効果を示す。
【００２１】
一方、発芽緑豆の子葉部位イソフラボンの総量を構成するアグリコン（ａｇｌｙｃｏｎｅ）として三つの基本構成物質であるゲニステイン（ｇｅｎｉｓｔｅｉｎ）、ダイゼイン（ｄａｉｄｚｅｉｎ）及びグリシテイン（ｇｌｙｃｉｔｅｉｎ）の外にグルコース（ｇｌｕｃｏｓｅ）、マロニル化グルコース（ｍａｌｏｎｙｌａｔｅｄ  ｇｌｕｃｏｓｅ）、またはアセチル化グルコース（ａｃｅｔｙｌａｔｅｄ  ｇｌｕｃｏｓｅ）が付いた総９個の誘導体（ｃｏｎｊｕｇａｔｅｄ  ｆｏｒｍｓ）の含量を比較して見れば図７のようである。三つの化合物処理群共にアグリコンであるゲニステイン、ダイゼイン、グリシテインの含量は少量であった。サリチル酸処理群ではゲニステインよりはマルロニルダイドジン（ｍａｌｏｎｙｌｄａｉｄｚｉｎ）、アセチルダイドジン（ａｃｅｔｙｌｄａｉｄｚｉｎ）、グリシチン（ｇｌｙｃｉｔｉｎ）が増加したことが現れた。これは、図４に示したように、ナリンゲニン（ｎａｒｉｎｇｅｎｉｎ）、ゲニステイン（ｇｅｎｉｓｔｅｉｎ）方向への代謝よりはリキリチゲニン（ｌｉｑｕｉｒｉｔｉｇｅｎｉｎ）、ダイゼイン（ｄａｉｄｚｅｉｎ）、グリシテイン（ｇｌｙｃｉｔｅｉｎ）方向への代謝が活発であったという証拠であり、サリチル酸処理によって代謝の方向を調節するのに寄与すると予想されるカルコン還元酵素（ｃｈａｌｃｏｎｅ  ｒｅｄｕｃｔａｓｅ）の活性によって調節されたと考えられる。
【００２２】
発芽緑豆の根部位イソフラボンの総量を構成するアグリコン（ａｇｌｙｃｏｎｅ）として三つの基本構成物質であるゲニステイン（ｇｅｎｉｓｔｅｉｎ）、ダイゼイン（ｄａｉｄｚｅｉｎ）及びグリシテイン（ｇｌｙｃｉｔｅｉｎ）の外にグルコース（ｇｌｕｃｏｓｅ）、マロニル化グルコース（ｍａｌｏｎｙｌａｔｅｄ  ｇｌｕｃｏｓｅ）、またはアセチル化グルコース（ａｃｅｔｙｌａｔｅｄ  ｇｌｕｃｏｓｅ）が付いた総９個の誘導体（ｃｏｎｊｕｇａｔｅｄ  ｆｏｒｍｓ）の含量を比較して見れば図８のようである。アグリコンであるゲニステイン、ダイゼイン、グリシテインの含量は無処理群（ｎｔ）とサリチル酸処理群（ｓａ）の場合少量であったが、メチルジャスモン酸処理群（ｍｊ）とアセチルサリチル酸処理群の場合、含量が高かった。特に、ゲニステインの含量が高かった。アセチルサリチル酸処理群とサリチル酸処理群の場合、アセチルダイドジンの含量が特に高い増加を現した。アセチルサリチル酸処理群ではマルロニルダイドジンが高い増加を示す。サリチル酸処理群の場合、グリシテインの増加が特異的に観察された。
【００２３】
以上、本発明の内容の特定部分を詳しく記述したが、当業界の通常の知識を持った者において、このような具体的記述はただ望ましい実施様態であるだけであり、これによって本発明の範囲が制限されるものではない点は明白であろう。したがって、本発明の実質的な範囲は添付する請求項とそれらの等価物によって定義されるものであろう。
【産業上の利用可能性】
【００２４】
本発明はイソフラボン高含有豆科植物の発芽種子の製造方法、前記方法によって製造されたイソフラボン高含有発芽種子及び前記発芽種子を培養して製造されたイソフラボン含量の高いぶんどう萌やし及び大豆萌やしの製造方法を提供する効果がある。また、本発明は、前記発芽種子、ぶんどう萌やし、大豆萌やしまたはその加工物を含むことを特徴とする健康食品を提供する効果がある。
本発明によれば、人体に無害で、親環境的であり、遺伝子変形体（ＧＭＯ）を利用しないながらもイソフラボン含量の高い豆及び緑豆材料を製造することができるので、多くの食品に応用することができる。
【図面の簡単な説明】
【００２５】
【図１】培養皿で発芽した豆をストレス誘発化合物で処理し、１６時間暗培養した後の写真である（ｗａｔｅｒ：無処理群、ｓａ：１０ｍＭのサリチル酸（ｓａｌｉｃｙｌｉｃ  ａｃｉｄ）処理群、ｍｊ：０．５％メチルジャスモン酸（ｍｅｔｈｙｌ  ｊａｓｍｏｎｉｃ  ａｃｉｄ）処理群、ａｓａ：１２ｍＭのアセチルサリチル酸（ａｃｅｔｙｌ  ｓａｌｉｃｙｌｉｃ  ａｃｉｄ）処理群）。
【図２】発芽豆根部位のイソフラボン（ｉｓｏｆｌａｖｏｎｅ）含量を示すグラフである。
【図３】発芽豆根部位のイソフラボン総量を構成する１２個のイソフラボン分画の検出量を示すグラフである（ｄｉｎ：ｄａｉｄｚｉｎ、ｍｄｉｎ：ｍａｌｏｎｙｌｄａｉｄｚｉｎ、ａｄｉｎ：ａｃｅｔｙｌｄａｉｄｚｉｎ、ｄｅｉｎ：ｄａｉｄｚｅｉｎ、ｇｌｙ：ｇｌｙｃｉｔｉｎ、ｍｇｌｙ：ｍａｌｏｎｙｌｇｌｙｃｉｔｉｎ、ａｇｌｙ：ａｃｅｔｙｌｇｌｙｃｉｔｉｎ、ｇｌｅｉｎ：ｇｌｙｃｉｔｅｉｎ、ｇｉｎ：ｇｅｎｉｓｔｉｎ、ｍｇｉｎ：ｍａｌｏｎｙｌｇｅｎｉｓｔｉｎ、ａｇｉｎ：ａｃｅｔｙｌｇｅｎｉｓｔｉｎ、ｇｅｉｎ：ｇｅｎｉｓｔｅｉｎ）。
【図４】フェニルプロパノイド（ｐｈｅｎｙｌｐｒｏｐａｎｏｉｄ）代謝経路を示すものである。
【図５】本発明による発芽緑豆の子葉部位のイソフラボン（ｉｓｏｆｌａｖｏｎｅ）含量を示すグラフである。
【図６】本発明による発芽緑豆の根部位（ｈｙｐｏｃｏｔｙｌ＋ｒｏｏｔ）のイソフラボン含量を示すグラフである。
【図７】発芽緑豆の子葉部位イソフラボンの総量を構成する１２個のイソフラボン分画の含量を示すグラフである。
【図８】発芽緑豆の根部位のイソフラボン総量を構成する１２個のイソフラボン分画の検出量を示すグラフである。
【図１】
2007520230.tif 000004
【図２】
2007520230.tif 000005
【図３】
2007520230.tif 000006
【図４】
2007520230.tif 000007
【図５】
2007520230.tif 000008
【図６】
2007520230.tif 000009
【図７】
2007520230.tif 000010
【図８】
2007520230.tif 000011
【国際調査報告】
2007520230.tif 000012
2007520230.tif 000013
2007520230.tif 000014
2007520230.tif 000015